(57)【特許請求の範囲】
【請求項１】
利用者が撮影した画像を取込み、取込んだ画像にＢＧＭ演奏を付加するためのシステムであって、利用者ＩＤ取得手段と、利用者別演奏履歴管理手段と、利用者別演奏頻度抽出手段と、利用者別外部入力画像管理手段と、画像再生手段とからなり、
（ア）利用者ＩＤ取得手段とは、利用者ＩＤを取得して利用者を特定するものであり、
（イ）利用者別演奏履歴管理手段とは、前記利用者ＩＤ取得手段にて特定された利用者が過去に演奏させた楽曲を、その利用者ＩＤに紐付け、利用者別演奏履歴管理テーブルに記録するものであり、
（ウ）利用者別演奏頻度抽出手段とは、前記利用者別演奏履歴管理テーブルに記録された楽曲の中で、予め設定された期間における所定演奏頻度以上の楽曲を抽出するものであり、
（エ）利用者別外部入力画像管理手段とは、利用者ＩＤにより特定された利用者の外部入力画像を、その利用者ＩＤに紐付けて利用者別外部入力画像管理テーブルにて管理するものであり、
（オ）画像再生手段とは、前記利用者別外部入力画像管理テーブルにて管理されている画像を再生する際、前記利用者別演奏履歴管理テーブルから抽出された楽曲によりＢＧＭ演奏が実行されるようにしたものであって、
前記外部入力画像には撮影年月日データが付帯されているとともに、前記利用者別演奏履歴管理テーブルに記録された各楽曲には演奏年月日データが付帯されており、
さらに、期間特定手段を有し、この期間特定手段とは、所定の期間設定操作により設定された当該期間に対応する演奏年月日の楽曲および撮影年月日の画像を特定するようにしたもの、
であることを特徴とする画像表示機能付音楽再生システム。
【発明の詳細な説明】
【技術分野】
【０００１】
本発明は、利用者自身が撮影した画像の画像データ（静止画あるいは動画）を再生するにあたり、表示画像にＢＧＭ演奏を伴うようにしたもので、そのＢＧＭ演奏を表示画像が相互に有意性を備えたものが選択されるようにした画像表示機能付音楽再生システムに関するものである。
【背景技術】
【０００２】
一般にカラオケ装置によるカラオケ演奏に際しては、モニターテレビ画面に歌詞を色変えワイプをしながら表示するとともに、その楽曲の曲想に近似するであろう背景画像を表示するようにしている。例えば、冬をテーマにした楽曲である場合は冬景色を、秋をテーマにした楽曲の場合は枯葉の銀杏並木を、海をテーマにした楽曲の場合は海岸の風景を、というように、通常、一意的に対応付けられている。
【０００３】
ところが、このような背景画像は曲想に完全に一致するものでないことから、観念的に選択されたものであり、カラオケシステムの利用者の嗜好に配慮するも、利用者一人一人の要求に適う具体性のある選択ではなかった。したがって、歌唱者などは、背景画像の表示は付帯的なものと認識する傾向にあり、機能の有意性の向上が望まれていた。
【０００４】
かかる要望のもとに、カラオケ装置の利用者が撮影した画像を背景画像とし、独自性の高い背景画像を表示しようとするものが提案されている（特許文献１参照）。この特許文献１で利用される背景画像は、一般にデジタルスチルカメラ、デジタルビデオカメラあるいは携帯電話機で撮影され、通常、撮影機器本体に装着された画像メモリカードに記録される。
【０００５】
画像メモリカードに記録された画像は撮影終了後に、改めてこれらの撮影機器や専用のアプリケーションソフトを搭載したパソコンなどにより再生し、どのような画像を撮影したのか、更に何時、撮影したのかも確認することができる。また、記録された複数の画像データを一定の時間間隔で読み出して表示するいわゆるスライドショーも一般的な機能となっている。
【０００６】
このようにして装置外部から入力した画像データによりカラオケの利用者独自の背景画像を作成して表示し、更にＢＧＭ演奏を付加しようとするものが提案されている（例えば、特許文献２）。この特許文献２に開示された技術では、利用者にＢＧＭの選択を指示するメッセージがモニターテレビに表示されると、利用者は曲名または曲に付されているコード番号などを操作パネルあるいはリモコンから入力するようにしている。
【特許文献１】特開２００４−２７１９５９号公報
【特許文献２】特開２００６−００３８４２号公報
【発明の開示】
【発明が解決しようとする課題】
【０００７】
上記従来のシステムによる場合は、利用者が撮影して入力した画像に対し、利用者が予めＢＧＭとするための楽曲を選定して紐付ける処理を行っている。即ち、予め利用者は画像データを入力する処理と、この入力した個々の画像データに楽曲を選定して紐付ける処理を施さなければならず、煩雑な手間が必要となるものであった。
【０００８】
また、画像データに対する楽曲の紐付けにおいては、当該画像データによる画像に対して何等かの有意性のある楽曲を選定するようにしなければならないが、選択の判断基準は漠然とするものであり、容易な作業ではなかった。そして、画像データに楽曲を紐付けしなかった場合は、背景画像に対し曲想の異なる楽曲がＢＧＭ演奏される前述したような問題が発生することになる。
【課題を解決するための手段】
【０００９】
そこで本発明は、以下に述べる各手段により上記課題を解決するようにした。即ち、請求項１記載の発明では、利用者が撮影した画像を取込み、取込んだ画像にＢＧＭ演奏を付加するためのシステムであって、利用者ＩＤを取得して利用者を特定する利用者ＩＤ取得手段と、前記利用者ＩＤ取得手段にて特定された利用者が過去に演奏させた楽曲を、その利用者ＩＤに紐付け、利用者別演奏履歴管理テーブルに記録する利用者別演奏履歴管理手段と、前記利用者別演奏履歴管理テーブルに記録された楽曲の中で、予め設定された期間における所定演奏頻度以上の楽曲を抽出する利用者別演奏頻度抽出手段と、利用者ＩＤにより特定された利用者の外部入力画像を、その利用者ＩＤに紐付けて利用者別外部入力画像管理テーブルにて管理する利用者別外部入力画像管理手段と、前記利用者別外部入力画像管理テーブルにて管理されている画像を再生する際、前記利用者別演奏履歴管理テーブルから抽出された楽曲によりＢＧＭ演奏が実行されるようにしたものであって、前記外部入力画像には撮影年月日データが付帯されているとともに、前記利用者別演奏履歴管理テーブルに記録された各楽曲には演奏年月日データが付帯されており、さらに、期間特定手段を有し、この期間特定手段とは、所定の期間設定操作により設定された当該期間に対応する演奏年月日の楽曲および撮影年月日の画像を特定するようにした画像表示機能付音楽再生システムとなるようにした。
【発明の効果】
【００１０】
本発明の画像表示機能付音楽再生システムによれば、外部入力画像と利用者別演奏履歴管理テーブルに記録された各楽曲に演奏年月日テーブルが付帯されるようにしたので、利用者が撮影した画像の撮影時期に応じて、その撮影時期に利用者が特に好んだ楽曲によりＢＧＭ演奏を行うことができるので、その時期の画像にインパクトの強い楽曲が相乗するため、演出効果が更に高まるという引用文献１、２では全く期待することのできない効果を得ることができる。
【発明を実施するための最良の形態】
【００１１】
以下、本発明の実施の形態を図に基づいて詳細に説明する。なお、本発明は、スタンドアローンタイプによりシステムを構成することもできるが、通信機能を利用した通信タイプのカラオケシステムに実施した状態を実施例として説明する。
【００１２】
図１は本発明を実施した通信タイプのカラオケシステムの概要を示す図であり、同図において、カラオケ装置１は内蔵の音源により生成された楽曲とマイクロホン２から入力した歌唱音声信号をミキシングして増幅器３により増幅し、スピーカシステム４から演奏音および歌唱音声が再生される。また、カラオケ装置１は画像信号をモニターテレビ５に出力し、歌詞テロップおよび背景画像を表示する。なお、カラオケ装置１はリモコン送信機６から送られてくる赤外線コード信号を受信してリクエストされた楽曲の予約登録を行うなどカラオケ演奏に必要な様々の機能を処理する。
【００１３】
図２はカラオケ装置１のハードウエア構成を示すブロック図であり、同図において、中央制御部１１は内部にＣＰＵ、ＲＡＭ、ＲＯＭを含むマイコンであり、制御／データバス５０を介してこれに接続された各構成要素と信号の授受を行い、システム全体の統括および制御を行う。
【００１４】
前記中央制御部１１はハードディスク装置１３に格納されている演奏データを読み出す。この演奏データはＭＩＤＩ形式により記述されたカラオケ伴奏音楽の起源となる音楽生成データと、そのカラオケ楽曲の演奏に同期して表示する歌詞やその文字の属性（表示位置、表示色、表示／消去のタイミングなど）を記述した歌詞描画データとを含んでいる。中央制御部１１はリモコン送信機６およびリモコン受信部１５や操作パネル１６からリクエスト楽曲のＩＤ入力を操作制御部１７を介して受け取ると、その入力順とＩＤとを対応付けてＲＡＭに格納し、楽曲の演奏予約登録を行う。
【００１５】
そして、予約順に従って該当するカラオケ楽曲の演奏データなどをハードディスク装置１３から読み出し、演奏データ中のＭＩＤＩデータをシンセサイザ１８に転送すると、シンセサイザ１８はこのＭＩＤＩデータに従って内蔵音源を制御し、カラオケ伴奏音楽を生成する。シンセサイザ１８が出力するカラオケ伴奏音楽の演奏信号は、ミキサー１９でマイクロホン２からの歌唱音声信号と混合されて出力し、スピーカシステム４を駆動して音響出力が得られる。
【００１６】
一方、カラオケ伴奏音楽の生成処理に同期し、歌詞画像となるビットマップ画像をビデオＲＡＭ２２に展開する。映像制御部２３は、このビットマップ画像をビデオディスク装置２４から出力される背景画像にスーパーインポーズする処理を行ってモニターテレビ５に画像出力する。
【００１７】
符号７はカラオケ装置１に対するＧＵＩ機能を備え、利用者ＩＤ取得手段となる補助端末装置（タッチパネルコマンダー）７であり、カラオケ装置１との間でデータの送受信が行われる。この補助端末装置７には画像メモリカードＣ１が装着されるデータ入力部（カードスロット）７ａ、および利用者ＩＤカードＣ２によるデータ入力操作が行われるようにした利用者ＩＤ取得手段となるデータ入力部（タッチパネルセンサー）７ｂを備える。
【００１８】
そして、データ入力部７ａに画像メモリカードＣ１を装着してデータ入力操作が行われると、画像メモリカードＣ１に記録されている画像データはカラオケ装置１に転送され、外部入力画像記憶部２５に記憶される。なお、画像メモリカードＣ１は、デジタルカメラ、携帯電話機などにより撮影し、撮影年月日データが付帯した画像を記録したメモリカードであり、記録画像の読み込みは静止画、動画のいずれも可能となるようにする。そして、データ入力部７ｂには利用者ＩＤカードＣ２を接触させてデータ入力操作を行うことにより、利用者ＩＤカードＣ２に記録された利用者属性データがカラオケ装置１に転送される。
【００１９】
カラオケ装置１は通信機能を備えるもので、中央制御部１１は通信制御部１２を制御し、情報通信ネットワークＮを介してカラオケホストセンター１００に接続することによりデータ通信が可能となる。カラオケホストセンター１００はカラオケ楽曲を蓄積した楽曲データサーバ１００ａおよび利用者属性データ、統計データなどを蓄積した管理データサーバ１００ｂを備え、クライアントであるカラオケ装置１との間で各種データの授受が行われる。カラオケホストセンター１００から配信された演奏データなどはハードディスク装置１３に格納され、中央制御部１１の制御に基づいて読み出される。
【００２０】
カラオケ装置１はこのように構成されていることから、補助端末装置７のデータ入力部７ａから画像メモリカードＣ１の画像データを入力する一方、データ入力部７ｂから利用者ＩＤカードの利用者属性データを入力すると、利用者属性データに特定された画像データが情報通信ネットワークＮを介してカラオケホストセンター１００に送信され、管理データサーバ１００ｂに蓄積される。なお、画像データを利用者属性データで特定して携帯電話機のメール機能により送信し、管理データサーバ１００ｂに蓄積することも可能である。
【００２１】
前記カラオケホストセンター１００は、複数のカラオケ端末から送信されてくるリクエストデータ、即ち、特定の楽曲のリクエスト回数を集計し、演奏履歴管理テーブルを作成して楽曲の演奏頻度を常に集計して管理するようにしている。図３は、年度単位で集計した演奏履歴管理テーブルの僅かな一部の例を示すもので、例えば、楽曲ＩＤ：○×△の２０００年の演奏度数が２２８２４回であり、２００６年の演奏度数が２４１２回であることを示す。
【００２２】
このように作成された演奏履歴管理テーブルの特定の楽曲から特定の利用者の演奏度数を抽出するプログラム処理により作成されるのが利用者別演奏履歴管理テーブルであり、その例を図４に示す。この利用者別演奏履歴管理テーブルは利用者毎に作成されるもので、同図に示す例では、一年間に特定の利用者がリクエストして演奏された特定の楽曲毎の演奏度数を集計したもので、例えば、利用者ＩＤ：１２３４−０１の利用者別演奏履歴管理テーブルにおける楽曲ＩＤ：○×△の２０００年の演奏度数は１２回であり、２００１年における演奏度数は２０回であったことを示す。
【００２３】
このようにして作成された利用者別演奏履歴管理テーブルにおける各年度の各楽曲に対して閾値を設定し、設定された閾値以上の楽曲を抽出するプログラム処理により、当該年度において演奏度数が多かった楽曲、即ち、当該年度に好んで歌唱された楽曲を特定することができる。図５は、利用者ＩＤ：１２３４−０１の利用者別演奏履歴管理テーブルに対する閾値を、１５回に設定して処理した結果を示すもので、各年度において同図に示す楽曲が抽出されることになる。ただし、２０００年、２００２年においては閾値１５回を超える楽曲はなく、２００１年、２００３年には閾値１５回を超える楽曲が２曲抽出されることになり、２００２年、２００４年には閾値１５回を超える楽曲が３曲抽出されることになる。なお、この閾値は任意に設定されるものであるが、演奏度数を年度以外、例えば四季などで設定する場合もあり得る。
【００２４】
つぎに、利用者別外部入力画像管理テーブルの構成について説明する。図６はカラオケホストセンター１００で作成され、蓄積されている利用者別外部入力画像管理テーブルの例を示すもので、カラオケホストセンター１００へは複数のカラオケ端末から画像データが送信されてくるため、同図に示すように利用者ＩＤを付さなければならない。同図に示す例では、理解を容易とするため、便宜的に枝番号で利用者を特定するように表示してあるが、実際には、利用者属性データの利用者ＩＤ番号となる。そして、利用者ＩＤ番号の付された図７に示すと同様の画像データファイルがカラオケホストセンター１００の管理データサーバ１００ｂに蓄積される。
【００２５】
以上のように構成された本発明のシステムにおける処理の流れを図８乃至図１０に基づいて以下に説明する。まず、利用者は補助端末装置７のデータ入力部７ｂに利用者ＩＤカードＣ２を接触してログインすることにより（ステップＳａ１）、利用者ＩＤカードＣ２の利用者属性データが読み込まれる（ステップＳａ２）。つぎに、データ入力部７ａに画像メモリカードＣ１を装着し（ステップＳａ３）、画像データの読込処理を行う（ステップＳｂ４）。このようにして入力された利用者属性データおよび画像データは、カラオケ装置１から情報通信ネットワークＮを介してカラオケホストセンター１００に転送される。
【００２６】
カラオケホストセンター１００は利用者属性データおよび画像データを受信すると（ステップＳａ６）、利用者ＩＤ毎に利用者別外部入力画像管理テーブルを作成し（ステップＳａ７）、利用者ＩＤ毎の画像データファイルを管理データサーバ１００ｂに蓄積する（ステップＳａ８）。したがって、このようにして転送された画像データファイルは、管理データサーバ１００ｂに保存されるので、以後、画像メモリカードＣ１による入力操作は不要となる。
【００２７】
このように通信タイプのシステムにおいては、画像データがカラオケホストセンター１００に予め保存されているので、利用者ＩＤカードＣ２のデータ入力操作のみで利用者自身の画像データをカラオケ端末に呼び出すことができ、画像を指定して撮影された外部入力画像の時期に有意に関連する楽曲抽出してＢＧＭ演奏が可能となるようにすることができる。
【００２８】
図９および図１０は、かかる処理の流れを示すもので、まず、ステップＳｂ１において補助端末装置７のデータ入力部７ｂに利用者ＩＤカードを接触してログインする。このようにしてログインが完了すると、カラオケ装置１は利用者属性データをカラオケホストセンター１００へ転送する（ステップＳｂ２）。利用者属性データを受信したカラオケホストセンター１００は、管理データサーバ１００ｂに蓄積している当該利用者の利用者別外部入力画像管理テーブルおよび利用者別演奏履歴管理テーブルをカラオケ装置へ転送する（ステップＳｂ３、Ｓｂ４）。
【００２９】
利用者別外部入力画像管理テーブルおよび利用者別演奏履歴管理テーブルを受信したカラオケ装置１は演奏準備が整い、図１１に示すようなメニューボタンを補助端末装置７の画面７ｃに表示する。同図の画面では、システムを通常のカラオケ装置として機能するように指示する選択ボタンＧＢ１とＢＧＭ装置として機能するように指示する選択ボタンＧＢ２が表示される。
【００３０】
そして、利用者がＢＧＭ装置として機能すべく選択ボタンＧＢ２に触れると画像表示の要求があったものと判断され（ステップＳｂ６）、図１２に示すような複数の画像が配列されたサムネイル画像ボタンＧＢ３が表示される（ステップＳｂ７）。同図において表示されるサムネイル画像は、図６に示す外部入力画像管理テーブルにより管理されている画像であり、画像ＩＤ：Ａ〜Ｇの代表画像が各々１枚づつ表示される。これにより、利用者は画像の選択が容易となり、サムネイル画像ボタンＧＢ３の希望する画面に触れることにより画像選択がなされ、図１３に示す画面に遷移し、利用者の氏名などと共に選択した画像、例えば、画像ＩＤ：Ｂが拡大されて表示される。
【００３１】
このようにして外部入力画像が特定されると、ＢＧＭ演奏のリクエストがあったものと判断され、当該画像に対して有意に対応する楽曲を抽出するプログラム処理が開始される（ステップＳｂ９）。即ち、図６に示す外部入力画像管理テーブル（利用者ＩＤ：１２３４−０１）において、画像ＩＤ：Ｂが選択されている場合は、この画像の撮影は２００１年であることから、これに基づいて図４の利用者別演奏履歴管理テーブル（利用者ＩＤ：１２３４−０１）を検索して２００１年に演奏頻度の高かった、即ち、閾値１５回を超える楽曲は楽曲ＩＤ：○×△、○○×が抽出されることになる（ステップＳｂ１０）。なお、このステップＳｂ１０においては、選択した画像が２０００年、２００６年に撮影され
たものである場合は、利用者別演奏履歴管理テーブル（利用者ＩＤ：１２３４−０１）に有意の楽曲が存在しないと判断される。尤も、閾値を１０回に設定した場合は、２０００年、２００６年における楽曲が抽出されることになる。
【００３２】
上記処理に基づき、有意の楽曲が抽出された場合は、抽出された楽曲（楽曲ＩＤ：○×△、○○×）がＢＧＭ演奏され（ステップＳｂ１１）、有意の楽曲が抽出されなかった場合は、カラオケ装置１に予め設定されている楽曲によりＢＧＭ演奏されることになる（ステップＳｂ１２）。そしてＢＧＭ演奏が終了すると（ステップＳｂ１３）、背景画像の表示も終了する（ステップＳｂ１４）。
【００３３】
以上詳細に説明したように、本発明によれば、システムの利用者の外部入力画像に有意に関連した楽曲をＢＧＭ演奏することが可能となることから、回想気分を高揚することができる娯楽性の高いシステムとすることができる。画像の選択のみで有意の楽曲を抽出することができるので、煩わしい選択操作を払拭することができるなど、本発明特有の効果を奏する。
【図面の簡単な説明】
【００３４】
【図１】本発明を実施したカラオケシステムの概要を示す図である。
【図２】図１のカラオケ装置のハードウエア構成を示す図である。
【図３】演奏履歴管理テーブルの構成の例を示す図である。
【図４】利用者別演奏履歴管理テーブルの構成の例を示す図である。
【図５】楽曲演奏頻度を年度別に示す図である。
【図６】外部入力画像管理テーブルの構成の例を示す図である。
【図７】画像データファイルの構成を示す図である。
【図８】本発明におけるデータ処理の流れを示す図である。
【図９】本発明におけるデータ処理の流れを示す図である。
【図１０】本発明におけるデータ処理の流れを示す図である。
【図１１】入力画面の例を示す図である。
【図１２】入力画面の例を示す図である。
【図１３】入力画面の例を示す図である。
【符号の説明】
【００３５】
１・・・・・・カラオケ装置
２・・・・・・マイクロホン
３・・・・・・増幅器
４・・・・・・スピーカシステム
５・・・・・・モニターテレビ
６・・・・・・リモコン送信機
７・・・・・・補助端末装置
７ａ・・・・・データ入力部
７ｂ・・・・・データ入力部
１１・・・・・中央制御部
１２・・・・・通信制御部
１３・・・・・ハードディスク装置
１５・・・・・リモコン送信機
１６・・・・・操作パネル
１７・・・・・操作制御部
１８・・・・・シンセサイザ
１９・・・・・ミキサー
２２・・・・・ビデオＲＡＭ
２３・・・・・映像制御部
２４・・・・・ビデオディスク装置
２５・・・・・外部入力画像記憶部
５０・・・・・制御／データバス
１００・・・・カラオケホストセンター
１００ａ・・・楽曲データサーバ
１００ｂ・・・管理データサーバ
Ｎ・・・・・・情報通信ネットワーク
Ｃ１・・・・・画像メモリカード
Ｃ２・・・・・利用者ＩＤカード
【図１】
0005033513.tif 000002
【図２】
0005033513.tif 000003
【図３】
0005033513.tif 000004
【図４】
0005033513.tif 000005
【図５】
0005033513.tif 000006
【図６】
0005033513.tif 000007
【図７】
0005033513.tif 000008
【図８】
0005033513.tif 000009
【図９】
0005033513.tif 000010
【図１０】
0005033513.tif 000011
【図１１】
0005033513.tif 000012
【図１２】
0005033513.tif 000013
【図１３】
0005033513.tif 000014